(57)【要約】  本発明は足蹴り運動器具に関し、さらに詳細にはテコンドー、空手、キックボクシングのような武術を磨くことができるように位置移動が可能な重心フレームまたはランニングマシーンに締結される本体には複数の打撃部が結合されて個人が手足を利用して打撃部を加撃して武術を練習できるようにした足蹴り運動器具に関する。本発明は足蹴り運動器具において、垂直に設置される矩形状枠からなる本体と、上記本体の上、下部には本体を保護するための上、下部カバーと、上記本体の前方と両側面に上、下にそれぞれ設置された打撃部と、上記打撃部はプレートの外側に固定設置された衝撃吸収部材と、プレートの内側中央にはラックギアが形成された直進軸の片側流動部が結合され、上、下両側にはヒンジリブに長孔が形成されたガイドプレートの片側が結合され、上記ガイドプレートの長孔は本体のガイドリブに挟まれて移動可能に結合され、上記直進軸は本体に結合されたブッシングに挿入して結合されてラックギアが本体に設置された回転軸のピニオンギアと嵌合するように設置され、上記本体と上記プレートとの間の直進軸には弾性スプリングが設置され、上記本体の後面には重心フレームが結合されることを特徴とする。【選択図】  図１
2012526600.tif 000002
【特許請求の範囲】
【請求項１】
足蹴り運動器具において、垂直に設置される矩形状枠からなる本体と、上記本体の上、下部には本体を保護するための上、下部カバーと、上記本体の前方と両側面に上、下にそれぞれ設置された打撃部と、上記打撃部はプレートの外側に固定設置された衝撃吸収部材と、プレートの内側中央にはラックギアが形成された直進軸の片側流動部が結合され、上、下両側にはヒンジリブに長孔が形成されたガイドプレートの片側が結合され、上記ガイドプレートの長孔は本体のガイドリブに挟まれて移動可能に結合され、上記直進軸は本体に結合されたブッシングに挿入して結合されてラックギアが本体に設置された回転軸のピニオンギアと嵌合するように設置され、上記本体と上記プレートとの間の直進軸には弾性スプリングが設置され、上記本体の後面プレートには重心フレームが結合されることを特徴とする足蹴り運動器具。
【請求項２】
上記回転軸が設置された片側本体には固定ボルトでセンサーが固定設置されたことを特徴とする請求項１に記載の足蹴り運動器具。
【請求項３】
上記センサーは制御部と連結され、上記制御部は表示部と入力部にそれぞれ連結され、上記入力部では時間と打撃速度、打撃回数、打撃時の重さ、打撃時の時間変化量、衝撃量、衝撃力を有する各種データを設定し、上記表示部は打撃部に加えられた測定値を識別可能に表示することを特徴とする請求項２に記載の足蹴り運動器具。
【請求項４】
足蹴り運動器具において、垂直に設置される矩形状枠からなる本体と、上記本体の上、下部には本体を保護するための上、下部カバーと、上記本体の前方と両側面に上、下にそれぞれ設置された打撃部と、上記打撃部はプレートの外側に固定設置された衝撃吸収部材と、プレートの内側中央にはラックギアが形成された直進軸の片側流動部が結合され、上、下両側にはヒンジリブに長孔が形成されたガイドプレートの片側が結合され、上記ガイドプレートの長孔は本体のガイドリブに挟まれて移動可能に結合され、上記直進軸は本体に結合されたブッシングに挿入して結合されてラックギアが本体に設置された回転軸のピニオンギアと嵌合するように設置され、上記本体と上記プレートとの間の直進軸には弾性スプリングが設置され、上記本体の後面フレームはランニングマシーンの前面フレームと結合されることを特徴とする足蹴り運動器具。
【請求項５】
上記回転軸が設置された片側本体には固定ボルトでセンサーが固定設置され、上記センサーは制御部と連結され、上記制御部は表示部と入力部にそれぞれ連結され、上記入力部では時間と打撃速度、打撃回数、打撃時の重さ、打撃時の時間変化量、衝撃量、衝撃力を有する各種データを設定し、上記表示部は打撃部に加えられた測定値を識別可能に表示することを特徴とする請求項４に記載の足蹴り運動器具。
【請求項６】
上記ランニングマシーンは左側に角度調節ボタンが、上部に設置された取っ手が設置され、上記取っ手は下側が結合された垂直軸と上記垂直軸と取っ手部との間にスプリングが設置され、上記ランニングマシーンは右側にはランニングマシーンのオン、オフボタンと前後移動ボタンが上部に設置された取っ手が設置され、上記取っ手は下側が結合された垂直軸と上記垂直軸と取っ手部との間にスプリングが設置されたことを特徴とする請求項５に記載の足蹴り運動器具。
【請求項７】
上記ランニングマシーンは上部に上部レールが設置され、上記上部レールのガイド溝に支持軸のローラーが挿入され、上記支持軸に結合された支持板の両側にリングが設置され、上記リングに安全紐が連結され、上記安全紐は保護チョッキの両側と連結することを特徴とする請求項６に記載の足蹴り運動器具。
【発明の詳細な説明】
【技術分野】
【０００１】
本発明は足蹴り運動器具に関し、より詳細にはテコンドー、空手、キックボクシングのような武術を磨くことができるように位置移動が可能な重心フレームまたはランニングマシーンに締結される本体には複数の打撃部が結合されて個人が手足を利用して打撃部を加撃して武術を練習できるようにした足蹴り運動器具に関する。
【背景技術】
【０００２】
一般的にテコンドーのような武術の手で殴る正拳技術と足で蹴る足蹴り技術の練習は天井にぶら下げられたサンドバッグを殴ったり蹴ったりすることで個人的な練習を行っており、競い合いのような実質的な?拳技術を習う時は２人１組になって競い合いをするため正拳と足蹴り技術の練習が非常に単調であり、競い合いではケガの危険性があるだけでなく、正拳と足蹴り技術の練習で反射神経と正確度を向上させるために師範などの指導者が杓子型ミットを手に持ち、杓子型ミットの位置を変えながら正拳と足蹴り技術の訓練にあたっているが、これも個人的な練習が不可能であるという欠点があった。
【０００３】
最近は上記の欠点を解消するために、支柱に多数のアームを設置し、そのアームに杓子型ミットを固定して個別的な練習ができるようにしているが、これはいくつかの杓子型ミットの位置が変化するものではないため、練習効果が半減する欠点があった。
【０００４】
また、本件出願人によって先出願された韓国特許出願第９４−２７９５３号は上記の欠点をすべて解消することはできたが、杓子型ミットの弾性強度が微弱であり、杓子型ミットにセンサーを設置するのが困難なだけでなく、胴部位の加撃位置が不正確であり、指示ランプが分散して設置されているため集中力を低下させる欠点があった。
【０００５】
また、テコンドー、空手、キックボクシングのような武術は手で殴る技術と足で蹴る技術が多様に駆使される。このような手足を利用した技術の練習は天井にぶら下げられたサンドバッグを殴ったり蹴ったりするため、個人的な練習が行われていた。また、競い合いのような実質的な技術を習う時は２人１組になって競い合いをするため、殴ったり蹴ったりする技術の練習が非常に単調であり、競い合いをする過程で身体の局部を加撃することでケガの危険性もある。そして、殴ったり蹴ったりする技術の練習過程で反射神経と打撃の正確性を向上させるために師範などの指導者が杓子型ミットを両手に持って上・下・左・右側方向に位置を変えながら殴ったり蹴ったりする技術の訓練にあたっていた。しかし、このような練習は個人的な練習が不可能であり、杓子型ミットを持つ補助がいなければ練習ができないという問題点がある。
【０００６】
上記の欠点を解消するために、支柱に多数のアームを設置し、そのアームに杓子型ミットを固定して個別的な練習が可能になるようにしているが、これはいくつかの杓子型ミット位置が変化するものではないため、練習効果が半減する欠点があった。
【０００７】
上述のような問題点を解決するために、天井と床にネジで締結する支柱が備えられ、該支柱に杓子型ミットと三面ミットを結合して個別的な武術練習を可能にする「武術練習装置」（韓国特許登録第０１４８４２７号）が案出された。
【０００８】
しかし、上述のような従来の武術練習装置は杓子型ミットの弾性強度が非常に微弱であり、胴部位の加撃位置が不正確だった。また、上記装置の最大の問題点は設置作業が非常に困難であり、一度設置をしたら移動がほぼ不可能だ。
【０００９】
これは、天井と床面にそれぞれ孔を形成した後、上記支柱の上部と下部にそれぞれ締結される支持板に高低を調節した後、天井と床面にそれぞれ形成された孔にボルトを挿入して締結した。この時、上記支持板の孔に当接するように天井と床面にそれぞれ孔を形成しなければならず、相当な重さを有する上記装置を支えなければならない問題点も伴った。そして、上記支持板は上記支柱に対してネジ山によって高低が調節されるが、練習時に上記装置に加えられる外力の力によって上記支持板が流動し、天井と床面に結合される締結部が離脱する問題点がある。
【００１０】
また、上記支柱を設置するためには、天井と床面の高さが適当でなければならず、万一その高さが低ければ設置することができず、非常に高い場合には設置後に上記装置を支える力が低下して容易に破損して離脱する問題点が発生する。そして、天井と床面が木材で構成された場所では上記装置の設置が不可能であり、大理石の場合は天井と床面にそれぞれ孔を形成するのが非常に困難である。上記問題によって最初に設置される場所から他の場所に位置を移して設置するのが非常に煩雑である。したがって、武術師範が管理する道場では上記装置を必要とするが、その設置が非常に困難であり、一度設置すると移動が不可能であるため、設置が容易ではなかった。
【発明の概要】
【発明が解決しようとする課題】
【００１１】
本発明の目的は、室内の設置と運搬が非常に便利であり、位置を移動して設置することができる足蹴り運動器具を提供することにある。
【００１２】
本発明の他の目的は、多数の打撃部を打撃時のデータを通じて個人の能力を認知して訓練強度を調節することで、武術練習の技術を向上させることができる足蹴り運動器具を提供することにある。
【００１３】
本発明のまた他の目的は、打撃部に衝撃吸収部材が結合されて使用者のケガを防止することができる足蹴り運動器具を提供することにある。
【００１４】
本発明のまた他の目的は、打撃部が本体の前方と側面、上・下にそれぞれ多数結合されて多様な足蹴り技術を駆使することができるため、多様な技術を個人が一人でも練習することができる足蹴り運動器具を提供することにある。
【課題を解決するための手段】
【００１５】
上記のような目的を達成するための本発明は、足蹴り運動器具において、垂直に設置される矩形状枠からなる本体と、上記本体の上、下部には本体を保護するための上、下部カバーと、上記本体の前方と両側面に上、下にそれぞれ設置された打撃部と、上記打撃部はプレートの外側に固定設置された衝撃吸収部材と、プレートの内側中央にはラックギアが形成された直進軸の片側流動部が結合され、上、下両側にはヒンジリブに長孔が形成されたガイドプレートの片側が結合され、上記ガイドプレートの長孔は本体のガイドリブに挟まれて移動可能に結合され、上記直進軸は本体に結合されたブッシングに挿入して結合されてラックギアが本体に設置された回転軸のピニオンギアと嵌合するように設置され、上記本体と上記プレートとの間の直進軸には弾性スプリングが設置され、上記本体の後面には重心フレームが結合されることを特徴とする。
【００１６】
上記回転軸が設置された片側本体には固定ボルトでセンサーが固定設置されたことを特徴とする。
【００１７】
上記センサーは制御部と連結され、上記制御部は表示部と入力部にそれぞれ連結され、上記入力部では時間と打撃速度、打撃回数、打撃時の重さ、打撃時の時間変化量、衝撃量、衝撃力を有する各種データを設定し、上記表示部は打撃部に加えられた測定値を識別可能に表示することを特徴とする。
【００１８】
本発明は足蹴り運動器具において、垂直に設置される矩形状枠からなる本体と、上記本体の上、下部には本体を保護するための上、下部カバーと、上記本体の前方と両側面に上、下にそれぞれ設置された打撃部と、上記打撃部はプレートの外側に固定設置された衝撃吸収部材と、プレートの内側中央にはラックギアが形成された直進軸の片側流動部が結合され、上、下両側にはヒンジリブに長孔が形成されたガイドプレートの片側が結合され、上記ガイドプレートの長孔は本体のガイドリブに挟まれて移動可能に結合され、上記直進軸は本体に結合されたブッシングに挿入して結合されてラックギアが本体に設置された回転軸のピニオンギアと嵌合するように設置され、上記本体と上記プレートとの間の直進軸には弾性スプリングが設置され、上記本体の後面フレームはランニングマシーンの前面フレームと結合されることを特徴とする。
【００１９】
上記回転軸が設置された片側本体には固定ボルトでセンサーが固定設置され、上記センサーは制御部と連結され、上記制御部は表示部と入力部にそれぞれ連結され、上記入力部では時間と打撃速度、打撃回数、打撃時の重さ、打撃時の時間変化量、衝撃量、衝撃力を有する各種データを設定し、上記表示部は打撃部に加えられた測定値を識別可能に表示することを特徴とする。
【００２０】
上記ランニングマシーンは左側に角度調節ボタンが、上部に設置された取っ手が設置され、上記取っ手は下側が結合された垂直軸と上記垂直軸と取っ手部との間にスプリングが設置され、上記ランニングマシーンは右側にはランニングマシーンのオン、オフボタンと前後移動ボタンが上部に設置された取っ手が設置され、上記取っ手は下側が結合された垂直軸と上記垂直軸と取っ手部との間にスプリングが設置されたことを特徴とする。
【００２１】
上記ランニングマシーンは上部に上部レールが設置され、上記上部レールのガイド溝に支持軸のローラーが挿入され、上記支持軸に結合された支持板の両側にリングが設置され、上記リングに安全紐が連結されて上記安全紐は保護チョッキの両側と連結することを特徴とする。
【発明の効果】
【００２２】
上述した本発明は室内の設置と運搬が非常に便利で、位置を移動して設置することができる効果がある。
【００２３】
また、多数の打撃部を打撃時のデータを通じて個人の能力を認知して訓練強度を調節することで、武術練習の技術を向上させることができる効果がある。
【００２４】
また、打撃部に衝撃吸収部材が結合されて使用者のケガを防止することができる効果がある。
【００２５】
また、打撃部が本体の前方と側面、上・下にそれぞれ多数結合されて多様な足蹴り技術を駆使することができるため、多様な技術を個人が一人でも練習することができる効果がある。
【００２６】
また、制御部と連結されるセンサーが本体の内部に具備されて打撃部に加えられる外力の強度、加撃速度を表示部を通じて容易に認知することができる効果がある。
【００２７】
また、入力部を通じて時間と打撃速度、打撃回数、打撃時の重さ、打撃時の時間変化量、衝撃量、衝撃力などを入力して設定し、表示部では設定された時間内に打撃部に加えられた外力の強度と打撃速度、打撃回数、打撃時の重さ、打撃時の時間変化量、衝撃量、衝撃力などを表示する。そのため、使用者は予め設定されたデータを参考にしながら個人に合った訓練を行うことができる効果がある。
【００２８】
また、武術の中で手で殴る技術と足で蹴る技術などを一人でも自由に練習することができる効果がある。
【図面の簡単な説明】
【００２９】
【図１】本発明の足蹴り運動器具の分離斜視図である。
【図２】本発明の足蹴り運動器具の斜視図である。
【図３】本発明の足蹴り運動器具内部本体の斜視図である。
【図４】本発明の足蹴り運動器具内部本体の平面図である。
【図５】本発明の足蹴り運動器具内部本体の側面図である。
【図６】本発明の足蹴り運動器具を固定フレームに設置した状態図である。
【図７】本発明の足蹴り運動器具をランニングマシーンに設置した左側面図である。
【図８】本発明の足蹴り運動器具をランニングマシーンに設置した右側面図である。
【発明を実施するための形態】
【００３０】
以下本発明の好ましい実施例が図示された添付図面を参照してより詳細に説明すれば次の通りである。しかし、本発明は多数の異なる形態で具現することができ、記述された実施例に制限されないことを理解されたい。
【００３１】
図１は本発明の足蹴り運動器具の分離斜視図であり、図２は本発明の足蹴り運動器具の斜視図であり、図３は本発明の足蹴り運動器具内部本体の斜視図であり、図４は本発明の足蹴り運動器具内部本体の平面図であり、図５は本発明の足蹴り運動器具内部本体の側面図であり、そして、図６は本発明の足蹴り運動器具を固定フレームに設置した状態図であり、図７は本発明の足蹴り運動器具をランニングマシーンに設置した左側面図であり、図８は本発明の足蹴り運動器具をランニングマシーンに設置した右側面図である。
【００３２】
図１ないし図８に図示したように本発明の足蹴り運動器具を説明すれば下記の通りである。
【００３３】
本発明はテコンドー、空手、キックボクシングのような武術を磨くことができるように位置移動が可能な重心フレームまたはランニングマシーンに締結される本体には複数の打撃部が結合されて個人が手足を利用して打撃部を加撃して武術を練習できるようにした足蹴り運動器具に関する。
【００３４】
図１ないし図８を参照すれば、本発明は足蹴り運動器具（１０）において、垂直に設置される矩形状枠からなる本体（３０）と、上記本体（３０）の上、下部には本体（３０）を保護するための上、下部カバー（２１，２２）を設置する。
【００３５】
上記本体（３０）の前方と両側面に上、下にそれぞれ設置された打撃部（４０）と、上記打撃部（４０）はプレート（４２）の外側には衝撃吸収部材（４１）を固定設置する。
【００３６】
上記プレート（４２）の固定孔（４２ａ）を用いて衝撃吸収部材（４１）を結合し、ボルトで結合することができ、上記衝撃吸収部材（４１）の内部にフックを形成して上記プレート（４２）の固定孔（４２ａ）に結合することができる。
【００３７】
上記プレート（４２）の内側中央にはラックギア（４５）が形成された直進軸（４４）の片側流動部（４６）が結合され、上、下両側にはヒンジリブ（４２ｂ）に長孔（４３ａ）が形成されたガイドプレート（４３）が片側が結合され、上記ガイドプレート（４３）の長孔（４３ａ）は本体（３０）のガイドリブ（３１）に挟まれて移動可能に結合する。
【００３８】
上記直進軸（４４）は本体（３０）に結合されたブッシング（３２）に挿入して結合されてラックギア（４５）が本体（３０）に設置された回転軸（６０）のピニオンギア（６１）と嵌合するように設置する。
【００３９】
上記本体（３０）と上記プレート（４２）との間の直進軸（４４）には弾性スプリング（５０）が設置され、上記本体（３０）の後面フレームには重心フレーム（１００）またはランニングマシーン（２００）の前面フレーム（２０１）が結合される。
【００４０】
上記回転軸（６０）が設置された片側本体（３０）には固定ボルト（７１）でセンサー（７０）が固定設置される。
【００４１】
上記センサー（７０）は図示しない制御部と連結され、上記制御部は表示部と入力部にそれぞれ連結され、上記入力部では時間と打撃速度、打撃回数、打撃時の重さ、打撃時の時間変化量、衝撃量、衝撃力を有する各種データを設定し、上記表示部は打撃部に加えられた測定値を識別可能に表示する。上記表示部は別途に構成して有/無線で上記制御部と連結される。
【００４２】
上記ランニングマシーン（２００）の床フレーム（２０２）内側には回転ベルト（２０４）が設置され、上記ランニングマシーン（２００）は左側には角度調節ボタン（２１３）が上部に設置された取っ手が設置され、上記取っ手は下側が結合された垂直軸（２１０）と上記垂直軸（２１０）と取っ手部（２１２）との間にスプリング（２１１）が設置される。
【００４３】
上記ランニングマシーン（２００）は右側にはランニングマシーンのオン、オフボタンと前後移動ボタン（２１３ａ）が上部に設置された取っ手が設置され、上記取っ手は下側が結合された垂直軸（２１０ａ）と上記垂直軸（２１０ａ）と取っ手部（２１２ａ）との間にスプリング（２１１ａ）が設置される。
【００４４】
上記ランニングマシーン（２００）は上部に上部レール（２０３）が設置され、上記上部レール（２０３）のガイド溝（２０３ａ）に支持軸（２２０）のローラー（２２１）が挿入され、上記支持軸（２２０）に結合された支持板（２２２）の両側にリング（２２３）が設置され、上記リング（２２３）に安全紐（２２４）が連結され、上記安全紐（２２４）は保護チョッキ（２２５）の両側と連結する。
【００４５】
上記打撃部（４０）はアルミニウムのような軽い素材の金属材、または強度が高い合成樹脂材のプレート（４１）が具備される。そして、該プレート（４１）には衝撃吸収部材（４２）が結合される。
【００４６】
上記重心部材（１００）は本体（３０）と連結片を配置して溶接したり、ボルトとナットで締結することもできる。
上記のような足蹴り運動器具（１０）は設置する場所と位置によって移動させて設置することができる。
【００４７】
上記打撃部（４０）の衝撃吸収部材（４１）を手または足蹴りで打撃するとプレート（４２）が内側に移動して中央の直進軸（４４）が移動し、ラックギア（４５）によって回転軸（６０）に設置されたピニオンギア（６１）が回転する。
【００４８】
この時、上記回転軸（６０）の回転速度を片側本体（３０）に固定ボルト（７１）で固定設置されたセンサー（７０）が感知して一般的な表示部に送る。
この時、打撃部（４０）は打撃が終わると同時に直進軸（４４）に設置された弾性スプリング（５０）の復元力によって元の位置に復元される。
【００４９】
上記表示部は隣接した場所に位置するようにする。該表示部には入力部が具備されており手動／自動で入力が可能だ。そして、前に説明したように、該入力部にはプログラムによる多様な方法の打撃モードを設定することができ、打撃時間及び打撃回数そして打撃速度、打撃時の重さ、打撃時の時間変化量、衝撃量、衝撃力などの各種データを予め入力して設定する。
【００５０】
上記入力部にデータを入力する時、上記表示部ではこれによるその基準値が数字、またはランプなどで表示され、練習者は設定された値による初期段階の打撃モードを行うようになる。以後、与えられた時間内に、または打撃練習が終わる場合に時間と打撃速度、打撃回数、打撃時の重さ、打撃時の時間変化量、衝撃量、衝撃力などの練習結果が表示部に表されるようになる。そして、初期段階の打撃モードを行った結果が充足されると次段階の打撃モードを行うようになり、万一初期段階の打撃モードが充足されない場合は再び初期段階の打撃モードを行うようになる。
【００５１】
このように、設定されたモードによって打撃を実施し、それによる結果に従って反復練習及び次の段階への移行を行うようになる。
【００５２】
上記過程でのように、本発明の足蹴り運動器具（１０）を設置した後、使用者が上記入力部に設定された基準値によってその運動練習量を調節することができ、このような打撃練習によるそれぞれに該当するデータが表示部に数字で表されることで、練習者は打撃強度と打撃の正確度、そして打撃の打撃速度、打撃回数、打撃時の重さ、打撃時の時間変化量、衝撃量、衝撃力を容易に認知することができる。
【００５３】
以上本発明の好ましい実施例を説明したが、本発明は多様な変化と変更及び均等物を使用することができる。本発明は上記実施例を適切に変形して同一に応用することができることは明確である。従って、上記記載内容は下記特許請求の範囲の限界によって決められる本発明の範囲を限定するものではない。
【００５４】
一方、本発明の詳細な説明では具体的な実施例について説明したが、本発明の範囲を超えない限度内で様々な変形が可能であることは当該分野で通常の知識を有する者であれば自明であると言える。
【符号の説明】
【００５５】
１０  足蹴り運動器具
２１  上部カバー
２２  下部カバー
３０  本体
３１  ガイドリブ
３２  ブッシング
４０  打撃部
４１  衝撃吸収部材
４２  プレート
４２ａ  固定孔
４２ｂ  ヒンジリブ
４３  ガイドプレート
４３ａ  長孔
４４  直進軸
４５  ラックギア
５０  スプリング
６０  回転軸
６１  ピニオンギア
７０  センサー
７１  固定ボルト
１００  重心フレーム 
２００  ランニングマシーン
２０１  前面フレーム
２０２  床フレーム
２０３  上部レール
２０４  回転ベルト
【図１】
2012526600.tif 000003
【図２】
2012526600.tif 000004
【図３】
2012526600.tif 000005
【図４】
2012526600.tif 000006
【図５】
2012526600.tif 000007
【図６】
2012526600.tif 000008
【図７】
2012526600.tif 000009
【図８】
2012526600.tif 000010
【国際調査報告】
2012526600.tif 000011
2012526600.tif 000012
2012526600.tif 000013
2012526600.tif 000014